(57)【特許請求の範囲】
【請求項１】
上面部、底面部、一対の側面部及び一対の妻面部を有し、
前記上面部、前記底面部、前記側面部及び前記妻面部によって衛生用紙を収納し得る内部空間が区画形成され、
前記上面部に、取出口領域を包囲する環状の取出口用切込線が形成された衛生用紙収納用のカートンであって、
前記底面部及び前記側面部のいずれか一方に、前記カートンを壁面に掛け止めるための掛止片となる掛止片領域及び前記掛止片領域を包囲する掛止片用切込線が形成され、
前記掛止片用切込線は、前記底面部又は前記側面部の一の縁部側の２つの点を起点とし、前記一の縁部と対向する縁部側に向かって凸となる軌跡を描くように形成されており、且つ、
前記掛止片領域及び前記掛止片用切込線が形成された部分の内面に、前記掛止片領域と重畳するように防汚フィルムが配置され、
前記防汚フィルムが、前記掛止片領域を包囲するように形成された接着部によって前記内面に貼着されている衛生用紙収納用のカートン。
【請求項２】
前記掛止片領域及び前記掛止片用切込線が、前記一対の側面部の双方に形成され、
前記掛止片用切込線は、一の妻面部と隣接する縁部側の２つの点を起点とし、他の妻面部と隣接する縁部側に向かって凸となる軌跡を描くように形成され、
更に、前記掛止片領域の前記他の妻面部側の端部に、前記掛止片同士を連結する連結スリットとなる連結スリット用切込線が形成され、
前記連結スリット用切込線は、前記他の妻面部と隣接する縁部と平行に形成されている請求項１に記載の衛生用紙収納用のカートン。
【請求項３】
前記掛止片領域及び前記掛止片用切込線が、前記底面部に形成され、
前記掛止片用切込線は、一の側面部と隣接する縁部側の２つの点を起点とし、他の側面部と隣接する縁部側に向かって凸となる軌跡を描くように形成されている請求項１に記載の衛生用紙収納用のカートン。
【請求項４】
前記掛止片領域及び前記掛止片用切込線が、前記一対の側面部のいずれか一方に形成され、
前記掛止片用切込線は、前記底面部と隣接する縁部側の２つの点を起点とし、前記上面部と隣接する縁部側に向かって凸となる軌跡を描くように形成されている請求項１に記載の衛生用紙収納用のカートン。
【請求項５】
前記上面部の内面に、前記取出口領域と重畳するようにウインドウフィルムが配置され、
前記ウインドウフィルムが、前記取出口形成領域を包囲するように形成された接着部によって前記内面に貼着され、
前記ウインドウフィルムと前記防汚フィルムとが、連続する一体的なフィルムにより形成されている請求項１に記載の衛生用紙収納用のカートン。
【発明の詳細な説明】
【技術分野】
【０００１】
本発明はティシュペーパー等の衛生用紙を収納するためのカートンに関するものである。
【背景技術】
【０００２】
ティシュペーパー、キッチンタオル等の衛生用紙は、直方体状等のカートンの内部空間に収納された形で市販されることが多い。このようなカートンはそのまま据え置きして使用することが一般的である。
【０００３】
しかし、流し台や洗面所等のような狭い場所においては、壁面にカートンを掛止するスタイルで使用することも行われている。例えば、カートンの底面に、壁掛けホルダーを取り付けるための開口部を形成し、前記開口部にフック付きの壁掛けホルダーや磁石付きの壁掛けホルダーを取り付け、前記壁掛けホルダーによって、壁面にカートンを掛止することが行われている（特許文献１又は２参照）。
【先行技術文献】
【特許文献】
【０００４】
【特許文献１】特開２００２−３６９７６６号公報
【特許文献２】特開２００３−６３５７７号公報
【発明の概要】
【発明が解決しようとする課題】
【０００５】
しかしながら、前記の先行技術においては、壁掛けホルダー等の壁掛けのための特別な部材を別途購入しなければ、カートンを壁面に掛止することができないという問題があった。また、壁掛けホルダー等は形状が複雑で、磁石を構成要素として含む等の理由から製造コストが高いという問題があった。更に、壁掛けホルダー等は壁面にカートンを掛止する以外の用途には使用することができないため、購入する際に割高感を与えるという問題もあった。
【０００６】
本発明は、前記先行技術の問題点に鑑みてなされたものである。即ち、本発明は、壁掛けのための特別な部材を別途購入することなく、家庭用の壁掛けフックや磁石を利用してカートンを壁面に掛止することができ、構成が簡単で、安価かつ容易に製造することができる衛生用紙収納用のカートンを提供するものである。
【課題を解決するための手段】
【０００７】
本発明者は前記課題を解決するために鋭意検討した結果、カートンの一部に、壁面にカートンを掛け止めるための掛止片を形成することで、前記課題を解決することができることを見出し、本発明を完成するに至った。即ち、本発明によれば、以下に示すカートンが提供される。
【０００８】
［１］上面部、底面部、一対の側面部及び一対の妻面部を有し、前記上面部、前記底面部、前記側面部及び前記妻面部によって衛生用紙を収納し得る内部空間が区画形成され、前記上面部に、取出口領域を包囲する環状の取出口用切込線が形成された衛生用紙収納用のカートンであって、前記底面部及び前記側面部のいずれか一方に、前記カートンを壁面に掛け止めるための掛止片となる掛止片領域及び前記掛止片領域を包囲する掛止片用切込線が形成され、前記掛止片用切込線は、前記底面部又は前記側面部の一の縁部側の２つの点を起点とし、前記一の縁部と対向する縁部側に向かって凸となる軌跡を描くように形成されており、且つ、前記掛止片領域及び前記掛止片用切込線が形成された部分の内面に、前記掛止片領域と重畳するように防汚フィルムが配置され、前記防汚フィルムが、前記掛止片領域を包囲するように形成された接着部によって前記内面に貼着されている衛生用紙収納用のカートン。
【０００９】
［２］前記掛止片領域及び前記掛止片用切込線が、前記一対の側面部の双方に形成され、前記掛止片用切込線は、一の妻面部と隣接する縁部側の２つの点を起点とし、他の妻面部と隣接する縁部側に向かって凸となる軌跡を描くように形成され、更に、前記掛止片領域の前記他の妻面部側の端部に、前記掛止片同士を連結する連結スリットとなる連結スリット用切込線が形成され、前記連結スリット用切込線は、前記他の妻面部と隣接する縁部と平行に形成されている前記［１］に記載の衛生用紙収納用のカートン。
【００１０】
［３］前記掛止片領域及び前記掛止片用切込線が、前記底面部に形成され、前記掛止片用切込線は、一の側面部と隣接する縁部側の２つの点を起点とし、他の側面部と隣接する縁部側に向かって凸となる軌跡を描くように形成されている前記［１］に記載の衛生用紙収納用のカートン。
【００１１】
［４］前記掛止片領域及び前記掛止片用切込線が、前記一対の側面部のいずれか一方に形成され、前記掛止片用切込線は、前記底面部と隣接する縁部側の２つの点を起点とし、前記上面部と隣接する縁部側に向かって凸となる軌跡を描くように形成されている前記［１］に記載の衛生用紙収納用のカートン。
【００１３】
［５］前記上面部の内面に、前記取出口領域と重畳するようにウインドウフィルムが配置され、前記ウインドウフィルムが、前記取出口形成領域を包囲するように形成された接着部によって前記内面に貼着され、前記ウインドウフィルムと前記防汚フィルムとが、連続する一体的なフィルムにより形成されている前記［１］に記載の衛生用紙収納用のカートン。
【発明の効果】
【００１４】
本発明に係る衛生用紙収納用のカートンは、壁掛けのための特別な部材を別途購入することなく、家庭用の壁掛けフックや磁石を利用してカートンを壁面に掛止することができ、構成が簡単で、安価かつ容易に製造することができる。
【図面の簡単な説明】
【００１５】
【図１Ａ】本発明に係る衛生用紙収納用のカートンの一の実施形態を模式的に示す概略斜視図である。
【図１Ｂ】図１Ａに示すカートンの使用方法を模式的に示す概略斜視図である。
【図１Ｃ】図１Ａに示すカートンの使用状態を模式的に示す概略斜視図である。
【図１Ｄ】図１Ａに示すカートンを展開した状態（カートンブランク）を模式的に示す概略展開図である。
【図２Ａ】本発明に係る衛生用紙収納用のカートンの別の実施形態を模式的に示す概略斜視図である。
【図２Ｂ】図２Ａに示すカートンの使用方法を模式的に示す概略斜視図である。
【図２Ｃ】図２Ａに示すカートンの使用状態を模式的に示す概略斜視図である。
【図２Ｄ】図２Ａに示すカートンを展開した状態（カートンブランク）を模式的に示す概略展開図である。
【発明を実施するための形態】
【００１６】
以下、本発明に係る衛生用紙収納用のカートンを実施するための形態について具体的に説明する。
【００１７】
［１］本発明に係る衛生用紙収納用のカートンの特徴：
本発明に係る衛生用紙収納用のカートンは、図１Ａ〜図１Ｄ又は図２Ａ〜図２Ｄに示すように、底面部４及び側面部６，７のいずれか一方に、カートン１を壁面に掛け止めるための掛止片１００となる掛止片領域１０２及び掛止片領域１０２を包囲する掛止片用切込線１０４が形成され、掛止片用切込線１０４は、底面部４又は側面部６，７の一の縁部１０６側の２つの点を起点１０８とし、一の縁部１０６と対向する縁部１１２側に向かって凸となる軌跡を描くように形成されているカートン１である。
【００１８】
このような構成では、カートンの一部によって掛止片を形成することができる。従って、壁掛けホルダー等の壁掛けのための特別な部材を別途購入しなくとも、カートンを壁面に掛止することができる。また、カートンに切込線を形成するだけで製造することができる。従って、形状・構造が簡素で、従来公知の製造方法の範疇で製造することができ、磁石等の特別な部材も不要であり、製造コストも安い。更に、家庭用の壁掛けフックや磁石を利用して壁面にカートンを掛止することができるので便利である。
【００１９】
［１−１］掛止片領域、掛止片用切込線：
「掛止片領域」は、カートンを壁面に掛け止めるための掛止片となる領域である。また、「掛止片用切込線」は、掛止片領域を包囲するように形成された切込線である。図１Ｂ、図１Ｃ、図２Ｂ又は図２Ｃに示すように、掛止片領域１０２を包囲する掛止片用切込線１０４が切り離されると、掛止片領域１０２は掛止片１００となる。
【００２０】
掛止片領域、掛止片用切込線の数は少なくとも１箇所であり、２箇所以上形成されていてもよい。図２Ａ〜図２Ｄに示すカートン１ｂは、掛止片領域１０２及び掛止片用切込線１０４を１箇所形成した形態である。一方、図１Ａ〜図１Ｄに示すカートン１ａは、掛止片領域１０２及び掛止片用切込線１０４を２箇所形成した形態である。
【００２１】
掛止片領域、掛止片用切込線の形成部位は、底面部及び側面部のいずれか一方である。即ち、図１Ａ〜図１Ｄ又は図２Ａ〜図２Ｄに示すように、掛止片領域１０２及び掛止片用切込線１０４は、底面部４又は側面部６，７のいずれか一方に形成されている。
【００２２】
また、掛止片領域及び掛止片用切込線が、側面部に形成されている形態には、図１Ａ〜図１Ｄに示すように、掛止片領域１０２及び掛止片用切込線１０４が、一対の側面部６，７の双方に形成されている形態の他、一対の側面部の一方に形成されている形態が含まれる。
【００２３】
カートンを壁面に掛け止めることができる限り、掛止の形態は特に限定されない。例えば、図１Ｃに示すように、壁面１１４に固定されたフック１１６にカートン１を吊り下げる形態、図２Ｃに示すように、磁石１１８を利用して、鉄等の金属材からなる壁面１１４（例えば冷蔵庫の壁面等）にカートン１を固定する形態等を挙げることができる。
【００２４】
壁面に固定されたフックにカートンを吊り下げる形態としては、図１Ｃに示すように、掛止片１００同士を連結させて把手を構成し、フック１１６に前記把手を引っ掛ける形態の他、掛止片にフック挿入孔を形成し、前記フックに前記フック挿入孔を引っ掛ける形態等を挙げることができる。
【００２５】
例えば図２Ａ〜図２Ｄに示す形態の掛止片領域１０２に、予めフック挿入孔が形成されていてもよい。フック挿入孔が形成されていることによって、磁石を用いて固定する形態だけでなく、壁面に固定されたフックに吊り下げる形態によってもカートンを掛止することが可能となる。
【００２６】
フック挿入孔は、図２Ａ〜図２Ｄに示すカートン１ｂで言えば、掛止片領域１０２の他の側面部７側の端部に形成されていることが好ましい。なお、フック挿入孔に代えてフック挿入孔を形成し得る挿入孔用切込線が形成されていてもよい。この形態においては挿入孔用切込線が切り離されると、フック挿入孔が形成される。このような形態は、予めフック挿入孔が形成されている形態と比較して、使用時までカートン内部が露出されないため、未使用時における衛生用紙や防汚フィルム等の汚れ・破れを防止することができる。
【００２７】
「包囲」とは、掛止片用切込線によってカートンの底面部等の一部の領域が区画され、掛止片領域が形成されている状態を意味する。即ち、掛止片用切込線によって一部の領域が区画されている限り、掛止片用切込線が掛止片領域を完全に取り囲んでいる必要はない。
【００２８】
通常、カートンの底面部や側面部は矩形状に形成されている。従って、「包囲」の形態としては、その矩形の３辺側が包囲され、残りの１辺側が開放された形態等を挙げることができる。
【００２９】
例えば図１Ａ〜図１Ｄに示すカートン１ａは、矩形状の側面部６，７において、上面部２との境界線側、一の妻面部８との境界線（他の縁部１１２）側及び底面部４との境界線側が包囲され、他の妻面部１０との境界線（一の縁部１０６）側が開放された形態である。
【００３０】
一方、図２Ａ〜図２Ｄに示すカートン１ｂは、矩形状の底面部４において、一の妻面部８との境界線側、一の側面部６との境界線（他の縁部１１２）側、他の妻面部１０との境界線側が包囲され、他の側面部７との境界線（一の縁部１０６）側が開放された形態である。
【００３１】
本発明に係るカートンにおいては、図１Ａ〜図１Ｄ、図２Ａ〜図２Ｄに示すように、掛止片用切込線１０４が、底面部４又は側面部６，７の一の縁部１０６側の２つの点を起点１０８として形成されている。
【００３２】
底面部における「縁部」とは、一の側面部との境界線、他の側面部との境界線、一の妻面部との境界線及び他の妻面部との境界線のいずれかである。側面部における「縁部」とは、上面部との境界線、底面部との境界線、一の妻面部との境界線及び他の妻面部との境界線のいずれかである。
【００３３】
「一の縁部側」とは、一の縁部からこれに対向する縁部に到るまでの領域を、前記領域の中央で二分割した場合の一の縁部側の領域に、２つの起点が存在していることを意味する。２つの起点は一の縁部からの距離が等距離となるように配置されることが好ましい。このような形態とすると、掛止用切込線を切り離して掛止片を形成し、前記掛止片を一の縁部に沿って折り返した際に、前記掛止片が一の縁部と直交するように突出する。従って、カートンの掛止が容易となる。更には、２つの起点が一の縁部上に形成されていると、起点からカートンの破断が進行し難い。従って、耐久性、美観の面で好ましい。
【００３４】
また、図１Ａ〜図１Ｄ、図２Ａ〜図２Ｄに示すように、掛止片用切込線１０４は、一の縁部１０６と対向する縁部１１２側に向かって凸となる軌跡を描くように形成されている。「凸となる軌跡」とは、前記２つの起点を結ぶ曲線又は折れ線が、前記２つの起点よりも、前記２つの起点が形成された縁部と対向する縁部に近い点を経由する軌跡を意味する。例えば、逆Ｕ字状、逆Ｖ字状、円弧状、台形を構成する上底及び２本の脚からなる形状等を挙げることができる。
【００３５】
掛止片領域の長さ（一の縁部から対向する縁部に向かう方向の長さを指す。）は、図１Ｂ、図１Ｃ、図２Ｂ又は図２Ｃに示すように、掛止片用切込線１０４を切り離して掛止片１００を形成し、２つの起点１０８同士を結ぶ直線で折り返した際に、掛止片１００が一の縁部１０６から突出するように形成されていることが好ましい。このような形態とすると、掛止片が突出した部分に前記フック挿入孔、前記フック挿入孔用切込線、後述する連結スリット用切込線等を形成することができる。また、図２Ｄに示すように、掛止片１００が突出した部分に磁石１１８を配置して壁面１１４に固定することもできる。
【００３６】
具体的には、図１Ｂ又は図１Ｃに示すように、掛止片領域１０２及び掛止片用切込線１０４が、一対の側面部６，７の双方に形成され、掛止片用切込線１０４が、一の妻面部８と隣接する縁部１０６側の２つの点を起点１０８とし、他の妻面部１０と隣接する縁部１１２側に向かって凸となる軌跡を描くように形成されている形態を挙げることができる。
【００３７】
前記形態においては、掛止片領域１０２の他の妻面部１０側の端部に、掛止片領域１０２同士を連結する連結スリット１２０となる連結スリット用切込線１２２が形成され、連結スリット用切込線１２２が、他の妻面部１０と隣接する縁部１１２と平行に形成されていることが好ましい。このような構成は、２つの掛止片１００の連結スリット１２０を相互に挿し込むことによって、２つの掛止片１００を把手状に構成することができる。
【００３８】
また、別の形態として、図２Ｂ又は図２Ｃに示すように、掛止片領域１０２及び掛止片用切込線１０４が、底面部４に形成され、掛止片用切込線１０４は、一の側面部６と隣接する縁部１０６側の２つの点を起点１０８とし、他の側面部７と隣接する縁部１１２側に向かって凸となる軌跡を描くように形成されている形態も好ましい。この形態は面積が大きい底面部４を利用して掛止片１００を形成する。従って、面積が大きい掛止片１００を形成することができる。
【００３９】
更に、図２Ｂ又は図２Ｃに示す形態の変形例として、掛止片領域及び掛止片用切込線が、一対の側面部の少なくとも一方に形成され、掛止片用切込線は、底面部と隣接する縁部側の２つの点を起点とし、上面部と隣接する縁部側に向かって凸となる軌跡を描くように形成されている形態も好ましい。この形態は、図２Ｂ又は図２Ｃに示す形態と比較して掛止片が上面部に近い位置に形成される。従って、後述するようなウインドウフィルムと防汚フィルムを共用する形態においてフィルムの使用量を少なくすることができる。
【００４０】
掛止片用切込線の形態は、いわゆるミシン目状のもの等、後述する取出口用切込線、引剥がし用切込線、押上片用切込線と同様のものを好適に用いることができる。
【００４１】
［１−２］防汚フィルム：
本発明に係る衛生用紙収納用のカートンにおいては、図１Ａ〜図１Ｄ又は図２Ａ〜図２Ｄに示すように、掛止片領域１０２及び掛止片用切込線１０４が形成された部分の内面に、掛止片領域１０２と重畳するように防汚フィルム１２６が配置されている。防汚フィルムを配置することによって、掛止片用切込線を切り離して掛止片を形成した後も、カートン内部に収納された衛生用紙の汚れや破れを防止することができる。
【００４２】
前記形態においては、図１Ａ〜図１Ｄ又は図２Ａ〜図２Ｄに示すように、防汚フィルム１２６が、掛止片領域１０２を包囲するように形成された接着部１２４によって前記内面に貼着されている。前記形態は防汚フィルムがカートン内面に対して安定的にかつ確実に貼着され、防汚フィルムがカートン内面から浮き上がり難い。従って、埃等がカートンの内部に侵入し難く、カートン内部に収納された衛生用紙の汚れを防止する効果が高い。また、防汚フィルム自体も破損され難い。
【００４３】
防汚フィルムは専用のフィルムにより形成されていてもよい。但し、いわゆるウインドウフィルムと共用化してもよい。衛生用紙収納用のカートンにおいては、図１Ａ〜図１Ｄ又は図２Ａ〜図２Ｄに示すように、上面部２の内面に、取出口領域１６と重畳するようにウインドウフィルム２０が配置されることがある。このような形態においては、ウインドウフィルム２０と防汚フィルム１２６が、連続する一体的なフィルム１３０により形成されていてもよい。防汚フィルムをウインドウフィルムと共用化すれば、部品点数は増加しない。従って、カートンの製造工程が簡素化され、カートンを容易に製造することができる。
【００４４】
前記形態においては、図１Ａ〜図１Ｄ又は図２Ａ〜図２Ｄに示すように、ウインドウフィルム２０は、取出口領域１６を包囲するように形成された接着部２２によって前記内面に貼着されていることが好ましい。防汚フィルムと同様の理由によるものである。
【００４５】
防汚フィルムは、従来公知のウインドウフィルムと同様の材質により構成することができる。具体的な材質については、ウインドウフィルムの項で説明する。
【００４６】
［２］本発明の他の部分の構成：
以下、本発明に係る衛生用紙収納用のカートンの他の部分について説明する。
【００４７】
［２−１］カートン：
「衛生用紙」とは、液体や汚れを拭き取るための紙である。例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００４８】
通常、カートンの内部空間には、複数枚の衛生用紙が折り畳まれ、連続的に積層された衛生用紙の束が収納される。その折りたたみ構造は、一の衛生用紙が折り畳まれ、その折り返し部分に他の衛生用紙が挟み込まれた状態で折り畳まれることによって、複数枚の衛生用紙が連続的に積層された構造とすることが多い。このような折り畳み構造は、最上層の衛生用紙を取り出すことにより、これに挟み込まれていた次層の衛生用紙の一部が取出口から突出し、衛生用紙の取出しを容易にする（いわゆるポップアップ方式）。
【００４９】
本発明に係る衛生用紙収納用のカートンは、図１Ａ〜図１Ｄ又は図２Ａ〜図２Ｄに示すように、上面部２、底面部４、一対の側面部６，７及び一対の妻面部８，１０を有している。「上面部」は取出口用切込線が形成される面を構成する矩形状の部分を指し、「底面部」は前記上面と対向する面を構成する矩形状の部分を指す。「側面部」は前記上面と前記底面を繋げる面を構成する矩形状の部分であって、かつ、前記上面及び底面の長辺に沿って配される部分を指す。「妻面部」は前記上面と前記底面を繋げる面を構成する矩形状の部分であって、かつ、前記上面及び底面の短辺に沿って配される部分を指す。
【００５０】
本発明に係る衛生用紙収納用のカートンは、上面部、底面部、一対の側面部及び一対の妻面部によって衛生用紙を収納し得る内部空間が区画形成された箱体である。通常は、図１Ａ〜図１Ｄ又は図２Ａ〜図２Ｄに示すように、上面部２と底面部４、一対の側面部６，７同士、一対の妻面部８，１０同士が平行に配置された直方体状に構成される。但し、上面部、底面部、一対の側面部及び一対の妻面部を有する限り、直方体の稜線部分を面取りしたものも、本明細書にいう「カートン」に含まれる。
【００５１】
図１Ａ〜図１Ｄ又は図２Ａ〜図２Ｄに示すように、上面部２には、取出口領域１６を包囲する環状の取出口用切込線１４が形成されている。「取出口領域」とは、取出口用切込線を切り離すことによりカートンから切除され、カートンに取出口を形成する領域である。カートンに取出口を形成することで、その取出口から衛生用紙を取り出すことが可能となる。
【００５２】
「環状」とは、ある領域を包囲するように、切込線が連続的又は断続的に配置された形状を意味する。取出口用切込線を環状に形成することで、カートンから取出口領域を切除することが可能となる。前記定義を満たす限り、形状は特に限定されない。例えば、略長方形状、略長円形状、長楕円形状、矩形状、菱形状、又は多角形状等を挙げることができる。例えば、図１Ａ〜図１Ｄに示すカートン１ａ、図２Ａ〜図２Ｄに示すカートン１ｂは、取出口領域１６を略矩形状に形成した例である。
【００５３】
なお、取出口領域には、図１Ａ〜図１Ｄ又は図２Ａ〜図２Ｄに示すように取出口用切込線１４の二点を繋ぐように、引剥がし用切込線５２が形成されていてもよい。引剥がし用切込線５２を形成することで、取出口領域１６の引き剥がしが容易となる。図１Ａ〜図１Ｄに示すカートン１ａ、図２Ａ〜図２Ｄに示すカートン１ｂにおいては、略長方形状の取出口用切込線１４の端部側に、略Ｕ字状の引剥がし用切込線５２を形成している。
【００５４】
また、カートンには、図１Ｄに示すように底面部４に一対の押上片を形成するための押上片用切込線５４が形成されていてもよい。カートン１に収納された衛生用紙の残量が少なくなった際に、底面部４に形成された押上片領域５６を押圧し、押上片領域５６を包囲する押上片用切込線５４を切り離し押上片を形成する。この押上片をカートン１の内部空間側に折り曲げることによって、カートン１の内部空間に収納された衛生用紙が上面部２側に押し上げられる。従って、上面部２に形成される取出口から、衛生用紙を最後まで容易に取り出すことができる。図１Ｄに示すカートン１ａにおいては、底面部４の中央にＵ字状の押上片用切込線５４が１対形成されている。
【００５５】
取出口用切込線、引剥がし用切込線、押上片用切込線の形態は、いわゆるミシン目状のものの他、比較的長い切れ目（スリット）が断続的に配置されたものを挙げることができる。また、ジッパーと称される切れ目が鉤形に屈曲した開封用破断線（包装産業の周知・慣用技術集第２８１頁参照、昭和５３年１２月２０日特許庁発行）や、２重のミシン目であってもよい。
【００５６】
カートン（即ちカートンブランク）を構成する材質について特に制限はない。但し、カートンブランクを折り曲げ加工してカートンを形成する都合上、厚紙等の紙材料を構成材料とすることが好ましい。一般に、これらの紙材料としては、木材パルプ、古紙等を原料として製造されたものを好適に用いることができる。
【００５７】
［２−２］ウインドウフィルム：
本発明に係るカートンにおいては、図１Ａ〜図１Ｄ、図２Ａ、図２Ｃ又は図２Ｄに示すように上面部２の内面に、取出口領域１６と重畳するようにウインドウフィルム２０が配置されている形態が好ましい。前記形態は外部の塵や異物による衛生用紙の汚れや破れを防止することができる。
【００５８】
通常、ウインドウフィルムの中央部には、図１Ａ〜図１Ｄ、図２Ａ、図２Ｃ又は図２Ｄに示すように、衛生用紙を取り出すためのスリット１８が形成されている。スリットは、ウインドウフィルムを貫通する切れ目である。カートンの内部空間に収納された衛生用紙は、スリットを通過してカートンの外部へ引き出される。このような構成はスリット間の摩擦により、ポップアップした衛生用紙がカートンの内部に落ち込むことが防止され、衛生用紙を取出口から突出させた状態で保持することが可能となる。
【００５９】
ウインドウフィルムの構成材料は特に制限されない。例えば、ポリエチレン、ポリプロピレン、ポリ塩化ビニル、ポリエステル、ポリビニルアルコール等のプラスチック；グラシン紙、クラフト紙、ケント紙、インディア紙等の印刷用紙、書道用紙、包装紙、加工原紙等の紙；等を好適に用いることができる。
【００６０】
カートンの取出口を被覆することができる限りにおいて、フィルムの形状はいかなる形状であってもよい。但し、横長形状の取出口が汎用されるため、矩形状のフィルムを用いることが好ましい。ウインドウフィルムとしては、通常、透明フィルムが用いられる。但し、半透明、不透明、着色、文字・模様が印刷されたもの等であってもよい。
【００６１】
通常、接着部は取出口を包囲する環状に配置されている。「環状」の定義は、取出口用切込線の項におけるものと同義である。具体的な形状についても、取出口用切込線と同様の形状を採用することができる。
【００６２】
［３］製造方法：
本発明に係るカートンは、例えば紙材料等からなるカートンブランクの折り曲げ加工によって形成することができる。
【００６３】
図１Ｄ又は図２Ｄに示すカートンブランク６０は、一枚の紙材料によって形成されている。カートンブランク６０においては、折り曲げ線を介して上面部２、底面部４、一対の側面部６，７が形成されている。
【００６４】
側面部６，７の端縁からは、折り曲げ線を介して内フラップ２６が延出されている。また、上面部２の端縁からは、折り曲げ線を介して上面外フラップ２８が延出されている。そして、底面部４の端縁からは、折り曲げ線を介して底面外フラップ３０が延出されている。更に、底面部４の一の側縁部からは、折り曲げ線を介して、側面接合代３２が延出されている。底面外フラップ３０の先端には上面外フラップ２８との接合代である妻面接合代３４が付設されている。
【００６５】
取出口用切込線１４を包囲する位置には接着部２２が形成されている。接着部は、例えば、接着剤、両面テープ、熱融着等の方法によって形成することができる。この接着部２２に対し、スリット１８が形成されたウインドウフィルム２０を所定の位置に配置して貼り付けておく。
【００６６】
このような従来公知のカートンブランクに、更に掛止片領域１０２及び掛止片用切込線１０４を形成する。掛止片用切込線１０４は、取出口用切込線１４と同様の方法により形成することができる。
【００６７】
掛止片用切込線１０４を包囲する位置には接着部１２４が形成されている。接着部１２４は、取出口用切込線１４を包囲する接着部２２と同様の方法により形成することができる。この接着部１２４に対し、ウインドウフィルム２０と一体化されたフィルム１３０からなる防汚フィルム１２６を所定の位置に配置して貼り付けておく。
【００６８】
前記のようなカートンブランク６０は、折り曲げ加工によってカートンを形成することができる。まず、各折り曲げ線を折り曲げ、側面接合代３２と側面部６，７を接着して妻面側が開放された角筒状とする。その後、妻面接合代３４と上面外フラップ２８を接合することで、一対の妻面部８，１０を形成し、カートン１を形成する。
【産業上の利用可能性】
【００６９】
本発明の衛生用紙収納用のカートンは、ティシュペーパー、キッチンペーパー等のペーパータオル、シート状のトイレットペーパー、ワッティング（紙綿）等の衛生用紙を収納するためのカートンとして好適に用いることができる。
【符号の説明】
【００７０】
１，１ａ，１ｂ：カートン、２：上面部、４：底面部、６，７：側面部、８，１０：妻面部、１４：取出口用切込線、１６：取出口領域、１８：スリット、２０：ウインドウフィルム、２２：接着部、２６：内フラップ、２８：上面外フラップ、３０：底面外フラップ、３２：側面接合代、３４：妻面接合代、５２：引剥がし用切込線、５４：押上片用切込線、５６：押上片領域、６０：カートンブランク、１００：掛止片、１０２：掛止片領域、１０４：掛止片用切込線、１０６：縁部、１０８：起点、１１２：縁部、１１４：壁面、１１６：フック、１１８：磁石、１２０：連結スリット、１２２：連結スリット用切込線、１２４：接着部、１２６：防汚フィルム、１３０：フィルム。
【図１Ａ】
0005741248.tif 000002
【図１Ｂ】
0005741248.tif 000003
【図１Ｃ】
0005741248.tif 000004
【図１Ｄ】
0005741248.tif 000005
【図２Ａ】
0005741248.tif 000006
【図２Ｂ】
0005741248.tif 000007
【図２Ｃ】
0005741248.tif 000008
【図２Ｄ】
0005741248.tif 000009